(57)【要約】【課題】ハードウエアの改良や画像出力に使用する以上の用紙を使用することなく、オーダー仕分けができる昇華型プリンター装置およびプリントシステムを提供することを目的とする。【解決手段】本発明は、印画紙である印画ロール紙１００に転写する色材領域であるインク塗布部４と、インク塗布部４の位置を識別するための黒マーク３とを有するインクリボン２００と、インクリボン２００を用いて印画ロール紙１００に画像を印画するプリンター装置とを備えるプリントシステムであって、プリンター装置は、黒マーク３を認識する手段と、印画ロール紙１００上の画像を印画した画像領域１に隣接する余白領域である用紙片２において、認識した黒マーク３を用いて画像のオーダー情報３０を印字する手段とを備える。【選択図】図１
2011084018.tif 000002
【特許請求の範囲】
【請求項１】
印画紙に転写する色材領域と、
前記色材領域の位置を識別するための黒マークとを有するインクリボンと、
前記インクリボンを用いて前記印画紙に画像を印画するプリンター装置とを備えるプリントシステムであって、
前記プリンター装置は、
前記黒マークを認識する手段と、
前記印画紙上の前記画像を印画した画像領域に隣接する余白領域において、認識した前記黒マークを用いて前記画像のオーダー情報を印字する手段とを備える、
プリントシステム。
【請求項２】
前記印画紙はロール紙であり、
前記プリンター装置は、前記画像領域と前記余白領域とを切り離すカッターをさらに備える、
請求項１に記載のプリントシステム。
【請求項３】
請求項１または２に記載のプリントシステムに用いられる昇華型プリンター装置。
【発明の詳細な説明】
【技術分野】
【０００１】
本発明はプリントシステムおよび昇華型プリンター装置に関し、特にデジタルカメラ等によって撮影されたデジタル画像を出力する昇華型プリンター装置および昇華型プリンター装置を用いたプリントシステムに関する。
【背景技術】
【０００２】
デジタルカメラ等によって撮影されたデジタル画像から写真をまとめて大量に印画出力する昇華型プリンター装置およびプリントシステムにおいては、できあがった印画物をオーダーごとに仕分けする場合がある。
【０００３】
このオーダーごとの仕分けをする際、仕分け区切りごとにブザーなどでオペレーターに知らせる方法がある。また、ソーターなどを印画物の排出位置に設置し、オーダーごとにストックしてオーダーを仕分ける方法がある。
【０００４】
しかしながら、これらの方法ではオペレーターが常にブザーなどを逃さないようにしたり、ソーターが許容量を超えた時に異なるオーダーの印画物が混ざってしまわないように処理したり、またはソーターが許容量を超えた場合に印画動作を停止するようなプリントシステムの場合には、その印画動作が停止してしまわないように、いずれにしてもオペレーターが監視しておく必要があった。
【０００５】
この改善策として、オペレーターが常に監視せずとも、印画物の裏面にオーダー番号を印刷しておいて、オペレーターがあとでまとめてそのオーダー番号を見て仕分けたり、プリントシステム内において、オーダー番号に基づいて自動的にオーダーごとに振り分ける機構を設ける方法などがある（特許文献１参照）。
【０００６】
また、上記のような印画物の裏面における印刷手段がなくとも、昇華型プリンター装置単体のみで仕分けが可能な方法として、異なるオーダー間に印画しない仕切り用の用紙を出力する方法などもある（特許文献２参照）。
【先行技術文献】
【特許文献】
【０００７】
【特許文献１】特開２００７−１０７３９号広報（第２１頁、第２図）
【特許文献２】特開平１１−１３３５１７号広報（第２頁）
【発明の概要】
【発明が解決しようとする課題】
【０００８】
しかしながら、特許文献１に示すように印画紙の裏面に印刷するには、従来の片面印画用の昇華型プリンター装置だけでは対応できず、ハード面を改善し裏面印刷ができるように用紙経路を長くする等をし、装置全体を大掛かりなものにする必要があった。
【０００９】
また、特許文献２に示すように、異なるオーダー間に仕切り用紙を出力する場合は、そのための用紙を無駄に使用することになり、たとえば１オーダー１枚の出力で区切りを入れるのであれば、印画用の用紙と同じだけの仕切り用紙が必要となり、コスト面での問題があった。さらに、オーダー番号等を印字するわけではないので、複数のオーダーが混ざって出力された場合など、どの区切りとどの区切りが同じオーダーなのかなどは知ることができなかった。
【００１０】
本発明は上記のような問題を解決するためになされたものであり、現在使用されている昇華型プリンター装置のハード面、コスト面、スペース面に影響を与えず、オーダー仕分けができ、また目印となるオーダー情報の出力が行える昇華型プリンター装置およびプリントシステムの提供を目的とする。
【課題を解決するための手段】
【００１１】
本発明は、印画紙に転写する色材領域と、前記色材領域の位置を識別するための黒マークとを有するインクリボンと、前記インクリボンを用いて前記印画紙に画像を印画するプリンター装置とを備えるプリントシステムであって、前記プリンター装置は、前記黒マークを認識する手段と、前記印画紙上の前記画像を印画した画像領域に隣接する余白領域において、認識した前記黒マークを用いて前記画像のオーダー情報を印字する手段とを備える。
【００１２】
また、本発明は、上述のプリントシステムに用いられる昇華型プリンター装置である。
【発明の効果】
【００１３】
本発明によれば、印画紙に転写する色材領域と、前記色材領域の位置を識別するための黒マークとを有するインクリボンと、前記インクリボンを用いて前記印画紙に画像を印画するプリンター装置とを備えるプリントシステムであって、前記プリンター装置は、前記黒マークを認識する手段と、前記印画紙上の前記画像を印画した画像領域に隣接する余白領域において、認識した前記黒マークを用いて前記画像のオーダー情報を印字する手段とを備えることにより、オーダー情報を印字した余白領域を目印にして印画物のオーダー仕分けが可能となる。このとき、従来のインクリボンをそのまま利用でき、また本来切り捨てられる余白領域を有効に活用できる。
【００１４】
また、本発明によれば、上述のプリントシステムに用いられる昇華型プリンター装置を用いることにより、オーダー情報を印字した余白領域を目印にして印画物のオーダー仕分けが可能となる。このとき、従来のインクリボンをそのまま利用でき、また本来切り捨てられる余白領域を有効に活用できる。
【図面の簡単な説明】
【００１５】
【図１】実施の形態１にかかるプリントシステムによる、印画後の用紙の状態を例示する図である。
【図２】実施の形態１にかかるプリントシステムの、インクリボンを示す図である。
【図３】実施の形態１にかかるプリントシステムにより印画された印画紙の重なり状態を例示する図である。
【図４】実施の形態１にかかるプリントシステムの、印画紙のカット状態を例示する図である。
【図５】実施の形態１にかかるプリントシステムによる、印画後の用紙の状態を例示する図である。
【発明を実施するための形態】
【００１６】
＜Ａ．実施の形態１＞
＜Ａ−１．構成＞
本発明にかかるプリントシステムの構成について説明する。図１はデジタルカメラで撮影した画像を写真プリントとして出力した印画紙である印画ロール紙１００の状態を示した図である。プリントシステムにおいて、印画ロール紙１００は、図示しない昇華型プリンター装置により印画される画像が出力される印画紙である。印画ロール紙１００は、印画した画像領域１と、オーダー番号、ファイル名、付帯情報等のオーダー情報３０が印字された余白領域である用紙片２とを備えるものである。また、印画途中であり、まだ昇華型プリンター装置が備えるカッター２０により切断される前の状態の切断位置１０を点線で示している。
【００１７】
図１に示すように、印画物に余白ができないように全面印刷を実施する場合には、切り捨てられる部分として用紙片２が発生する。本発明ではこの用紙片２にオーダー番号や付帯情報等のオーダー情報３０を印字する。ここで、用紙片２への印字は画像領域１と同じ表面において行われるため、裏面印刷の必要がない。
【００１８】
図２はインクリボン２００を示したものである。図に示すように、インクリボン２００は、図１の印画ロール紙１００に転写する色材領域であるインク塗布部４と、インク塗布部４の位置を昇華型プリンター装置が識別するための黒マーク３とを有する。
【００１９】
昇華型プリンター装置は、インクリボン２００を用いて印画ロール紙１００に画像を印画する。ここで、昇華型プリンター装置は、黒マーク３を認識する手段（図示せず）と、印画ロール紙１００上の画像を印画した画像領域１に隣接する余白領域である用紙片２（図１参照）において、認識した黒マーク３を用いて画像のオーダー情報３０を印字する手段（図示せず）とを備えるものである。
【００２０】
この図２は、黒マーク３を用いて用紙片２に印字したあとの状態を示しており、印字した文字部分のインクが抜けている。ここで、黒マーク３を用いずにインクリボン２００のインク塗布部４を使用して印字をした場合、本来画像を印画するための領域を縮小し、オーダー情報３０を印字するためのインクリボン２００として確保するか、インクリボン２００のサイズを予め大きくしておき、オーダー番号等のオーダー情報３０を印字する分を確保しなくてはならない。黒マーク３に熱をかけることでオーダー情報３０を印字する場合にはこれらの問題を解消することができる。従来のインクリボンをそのまま利用でき、また本来切り捨てられる用紙片２を有効に利用するため、用紙を無駄に消費することもない。
【００２１】
インクリボン２００は、印画紙に最初に熱転写するＹ色のインク塗布部４の前にだけ黒マーク３が塗布されたもの、各色ごとに黒マーク３が塗布されたものと種類はあるが、例えばＹ色のインク塗布部４の前にだけ黒マーク３が塗布されれば、その部分だけを利用して印画紙に印字すれば済むため、どちらでも種類であっても問題はない。
【００２２】
＜Ａ−２．動作＞
本発明にかかるプリントシステムの動作について説明する。図３は、プリントシステムにおける昇華型プリンター装置が、図１に示すような印画紙を次々に出力していった場合の、その印画紙の重なり状態を示したものである。１枚の印画紙が出力される前に、対応するオーダー情報３０が印字された用紙片２が排出されるため、後でその印画紙を上から順に取り除いていく場合には、それぞれの印画紙に対応するオーダー情報３０が確認できる。よって、同じオーダーの区切りを把握する等しながら、オーダーごとに仕分けを行うことが可能となる。
【００２３】
オーダーごとにグルーピングする作業を行う場合には、プリントシステムの中に用紙片２に印刷されたオーダー情報３０を読み取る機構を設けることで、人の手を煩わさずに印画物の仕分けをすることもできる。グルーピングの方法については問わない。
【００２４】
カッター２０によるカット方法については、図１のように印画ロール紙１００における画像領域１と用紙片２とを完全に切断する方法もあるが、パーシャルカットで、たとえば図４のように左端部分のみ画像領域１と用紙片２とがつながった状態にする方法もある。この方法であれば、画像に対応するオーダー番号等のオーダー情報３０が紛失することなく、より確実に得ることができる。
【００２５】
また、カッター２０を備えていない昇華型プリンター装置の場合、事前に写真サイズより一回り大きくカットされた印画紙に印刷して、その余白部分を切断することになる。たとえば図５は切断位置１１にマイクロミシン目が入った印画ロール紙１０１に印画した状態を示したものであるが、この場合にも同じように、黒マーク３を使用してオーダー情報３０を印刷することが出来る。
【００２６】
デジタルプリンター装置の場合、オーダー番号、ファイル名や付帯情報等のオーダー情報３０もパソコンから入力された情報を使用し、また昇華型プリンター装置本体の設定値等も同時に取り出して付帯情報に追加して印刷することもできるが、たとえばテレビ信号などのアナログ信号を入力したアナログプリンター装置でも同様であり、たとえばファイル名などは本体の操作部等で個別に入力して行うことで、デジタルプリンター装置と同じように印刷することができる。
【００２７】
＜Ａ−３．効果＞
本発明にかかる実施の形態１によれば、印画紙である印画ロール紙１００に転写する色材領域であるインク塗布部４と、インク塗布部４の位置を識別するための黒マーク３とを有するインクリボン２００と、インクリボン２００を用いて印画ロール紙１００に画像を印画するプリンター装置とを備えるプリントシステムであって、プリンター装置は、黒マーク３を認識する手段と、印画ロール紙１００上の画像を印画した画像領域１に隣接する余白領域である用紙片２において、認識した黒マーク３を用いて画像のオーダー情報３０を印字する手段とを備えることで、裏面印刷を必要とせず、オーダー情報３０を印字した用紙片２を目印にして印画物のオーダー仕分けが可能となる。このとき、従来のインクリボン２００をそのまま利用でき、また本来切り捨てられる用紙片２を有効に活用できる。
【００２８】
また、本発明にかかる実施の形態１によれば、プリントシステムにおいて、印画紙は印画ロール紙１００であり、プリンター装置は、画像領域１と余白領域である用紙片２とを切り離すカッター２０をさらに備えることで、本来切り捨てられる用紙片２にオーダー情報３０を印字して印画物の間に挟みこむ等により有効に活用し、オーダー仕分けが可能となる。
【００２９】
また、本発明にかかる実施の形態１によれば、上述のプリントシステムに用いられる昇華型プリンター装置を用いることで、裏面印刷を必要とせず、オーダー情報３０を印字した用紙片２を目印にして印画物のオーダー仕分けが可能となる。このとき、従来のインクリボン２００をそのまま利用でき、また本来切り捨てられる用紙片２を有効に活用できる。
【産業上の利用可能性】
【００３０】
本発明にかかる昇華型プリンター装置およびプリントシステムでは、一度に大量に印画された場合でもオーダーごとの仕分けができ、複数のオーダーが混ざって出力された場合でもオーダー仕分けができることにより、写真店等で大量印画する場合に適用可能である。
【符号の説明】
【００３１】
１  画像領域、２  用紙片、３  黒マーク、４  インク塗布部、１０，１１  切断位置、２０  カッター、３０  オーダー情報、１００，１０１  印画ロール紙、２００  インクリボン。
【図１】
2011084018.tif 000003
【図３】
2011084018.tif 000004
【図４】
2011084018.tif 000005
【図５】
2011084018.tif 000006
【図２】
2011084018.tif 000007